(57)【特許請求の範囲】
【請求項１】
圧縮機、温水冷媒熱交換器、膨張弁、及び空気熱交換器が環状に接続された冷媒回路を備え、前記温水冷媒熱交換器により貯水タンク内の水を加熱する給湯室外機であって、
前記圧縮機の底部に、前記温水冷媒熱交換器と貯水タンクとの間に接続され、前記底部と接触して熱交換する底部水配管熱交換器を設け、
前記水配管熱交換器を下方に縮径する螺旋状に形成し、
前記圧縮機の底部がほぼ半球状に形成され、
前記圧縮機の重量によって前記圧縮機の底部が前記水配管熱交換器に押しつけられて接触し、
前記底部水配管熱交換器に、防振マウントを有するマウント部材を取り付けて前記圧縮機を支持する
ことを特徴とする給湯室外機。
【発明の詳細な説明】
【技術分野】
【０００１】
本発明は給湯室外機に係り、より詳しくは、給湯室外機に設けた圧縮機と熱交換する水配管の改良に関する。
【背景技術】
【０００２】
従来の給湯室外機は、螺旋状に巻かれた水配管を圧縮機側面の外周に密着させて取付けており、圧縮機の熱を沸上げ水に与えるようにして、加熱能力と給湯室外機の運転効率を上げ、さらに圧縮機の温度を低下させて圧縮機の信頼性を高めるようにしてある（例えば、特許文献１参照）。
【先行技術文献】
【特許文献】
【０００３】
【特許文献１】特開２００２−３７２３１８号公報（第３−４頁、図１）
【発明の概要】
【発明が解決しようとする課題】
【０００４】
特許文献１に記載された従来の給湯室外機は、圧縮機の側面の外周に水配管を強固に密着させて取付けているが、水配管を密着させるだけでは長期間安定して良好な密着性を保持することはできず、バンド等の別部品で水配管を圧縮機の側面に押付けなければならないため組立性が悪くなり、コストが著しく増加する。また、圧縮機内底部の潤滑油の温度を十分に低下させることができない。
【０００５】
また、水配管が圧縮機に密着していると、圧縮機の振動が水配管に伝達して熱交換器、筐体等に伝搬し、給湯室外機の振動、騒音発生の原因となっている。水配管は、通常、冷媒配管より径が大きく剛性が高いので、冷媒配管と比較して特に低周波の低減量が少なくその振動が熱交換器、筐体等に伝達されるため、給湯室外機の低周波振動、騒音が増加することになる。
【０００６】
本発明は、上記のような課題を解決するためになされたもので、コストの増加を抑制しながら圧縮機と水配管との間で長期間安定して良好な密着性を保持させ、安価で運転効率が高く、信頼性の高い圧縮機を備えた給湯室外機を提供することを目的とする。
【０００７】
また、給湯室外機の運転効率と圧縮機の信頼性を高めると共に、振動、騒音の増加を抑制した給湯室外機を提供することを目的とする。
【課題を解決するための手段】
【０００８】
本発明に係る給湯室外機は、圧縮機、温水冷媒熱交換器、膨張弁、及び空気熱交換器が環状に接続された冷媒回路を備え、温水冷媒熱交換器により貯水タンク内の水を加熱する給湯室外機であって、圧縮機の底部に、温水冷媒熱交換器と貯水タンクとの間に接続され、底部と接触して熱交換する底部水配管熱交換器を設け、水配管熱交換器を下方に縮径する螺旋状に形成し、圧縮機の底部がほぼ半球状に形成され、圧縮機の重量によって圧縮機の底部が水配管熱交換器に押しつけられて接触し、底部水配管熱交換器に、防振マウントを有するマウント部材を取り付けて圧縮機を支持するものである。
【発明の効果】
【０００９】
本発明によれば、圧縮機の重量により圧縮機の底部が底部水配管熱交換器に押付けられて、コストの増加を抑制しながら長期間安定して圧縮機の底部と底部水配管熱交換器の密着性を保持することができるので、安価で運転効率がよく、信頼性が高い圧縮機を備えた給湯室外機を得ることができる。
【図面の簡単な説明】
【００１０】
【図１】本発明の実施の形態１に係る給湯室外機の構成を示す模式図である。
【図２】実施の形態１に係る給湯室外機の圧縮機及び底部水配管熱交換器の取付状態を示す側面図である。
【図３】図２の底面図である。
【図４】図２の底部水配管熱交換器の側面図及び底面図である。
【発明を実施するための形態】
【００１１】
実施の形態１．
実施の形態１に係る図１において、給湯室外機１は、圧縮機２、冷媒配管３ａと水配管３ｂを接合して形成する温水冷媒熱交換器３、膨張弁４、空気熱交換器５、及びこれらを接続する冷媒配管からなり、圧縮機２、温水冷媒熱交換器３の冷媒配管３ａ、膨張弁４は高圧冷媒配管９により接続され、膨張弁４、空気熱交換器５、圧縮機２は低圧冷媒配管１０により接続されて、これらにより冷媒回路を構成している。そして、圧縮機２の底部には底部水配管熱交換器６が接触している。
【００１２】
温水冷媒熱交換器３の水配管３ｂには、温水冷媒熱交換器入口水配管１１及び温水冷媒熱交換器出口水配管１２が接続されており、圧縮機２の底部に設けられた底部水配管熱交換器６には、温水熱交換器出口水配管１２及び出口接続水配管１３が接続されている。
【００１３】
給湯室外機１の外部には貯湯タンク１４が設けられており、その下部には流水ポンプ１５を介して低温水配管１６が接続され、上部には高温水配管１７が接続されている。そして、低温水配管１６と高温水配管１７は、温水冷媒熱交換器３の入口水配管１１と底部水配管熱交換機６の出口接続水配管１３とにより給湯室外機１に接続されている。
【００１４】
次に、図２〜図４により、給湯室外機１の圧縮機２と底部水配管熱交換器６との取付状態を説明する。
圧縮機２の底部２ａは、例えばほぼ半球状又はそれに近い形状に形成されており、底部水配管熱交換器６は圧縮機２の底部２ａの外周に接触して取り付けられている。この底部水配管熱交換器６は、水配管が、例えば下方に螺旋状に縮径して渦巻き状に形成され、その拡径側から圧縮機２の底部２ａが挿入されている。
【００１５】
底部水配管熱交換器６には、板状のマウント部材７が溶接により取付けられており、マウント部材７には例えばゴムの如き弾性材からなる防振マウント８が取付けられて、給湯室外機１のベース１ａに設置されている。マウント部材７は例えば三角形の如き多角形の平面形状をなし、三隅に防振マウント８が取り付けられている。マウント部材７の中央部には支持孔７ａが形成されて底部水配管熱交換器６の縮径部が挿入されて支持している。底部水配管熱交換器６の下部（マウント部材７側）には温水冷媒熱交換器出口水配管１２が接続され、上部（圧縮機２側）には出口接続水配管１３が接続されている。なお、底部水配管熱交換器６の下部側は、マウント部材７の支持孔７ａの下方に位置して温水冷媒熱交換器出口水配管１２に接続されている。
【００１６】
上記の説明では、底部水配管熱交換器６にマウント部材７を介して防振マウント８を取付けたが、底部水配管熱交換器６に直接、防振マウント８を取付けるようにしてもよい。
【００１７】
次に動作について説明する。
図１の流水ポンプ１５を駆動すると、貯湯タンク１４内の低温水は低温水配管１６を通り、温水冷媒熱交換器入口水配管１１を通って、温水冷媒熱交換器３の水配管３ｂに流入する。また、圧縮機２を駆動すると、圧縮機２からの高温高圧冷媒は温水冷媒熱交換器３の冷媒配管３ａに流入する。こうして、温水冷媒熱交換器３で、圧縮機２からの高温冷媒の熱が温水冷媒熱交換器入口水配管１１から水配管３ｂに流入した低温水に与えられて熱交換され、低温水から高温水が生成される。温水冷媒熱交換器３で水に熱を与えた高圧冷媒は膨張弁４に流入し、その開度によって所定の圧力に減圧され、温度も低下する。膨張弁４からの低温低圧冷媒は空気熱交換器５で空気から熱を与えられ、圧縮機２に戻る。
【００１８】
温水冷媒熱交換器３で生成された高温水は温水冷媒熱交換器出口水配管１２を通り、底部水配管熱交換器６に流入する。この高温水は底部水配管熱交換器６で圧縮機２の底部２ａから熱を与えられ、さらに温度が上昇して出口接続水配管１３から高温水配管１７を通り、貯湯タンク１４に戻る。圧縮機２の底部２ａは、水配管熱交換器６内を通った高温水で冷却されて温度が低下する。
【００１９】
実施の形態１によれば、圧縮機２の底部２ａを底部水配管熱交換器６に接触させ、圧縮機２の重量によって圧縮機２の底部２ａが底部水配管熱交換器６に押付けられるようにしたので、圧縮機２の底部２ａと底部水配管熱交換器６との密着に際して、従来のようにバンド等の別部品で水配管を圧縮機側面に押付ける必要がなく、長期間安定して良好な密着性を保持することができる。
【００２０】
そして、圧縮機２の底部２ａと底部水配管熱交換器６とは密着性に優れているので、両者の熱交換効率が高くなり、高温水の温度上昇量が大きくなるので、コストの増加を抑制しながら加熱能力を上げることができ、給湯室外機１の運転効率が高くなる。また、圧縮機２の底部２ａの温度低下量も大きくなり、圧縮機２内底部にある潤滑油が冷却されるので、圧縮機２が高温となる高負荷運転時においても、軸受等摺動部での潤滑油の粘度低下による油膜切れによる焼付き発生を抑制することができ、長期使用における潤滑油の品質、性能劣化も抑制して、圧縮機の信頼性を高めることができる。
【符号の説明】
【００２４】
１  給湯室外機、１ａ  ベース、２  圧縮機、２ａ  底部、３  温水冷媒熱交換器、３ａ  冷媒配管、３ｂ  水配管、４  膨張弁、５  空気熱交換器、６  底部水配管熱交換器、７  マウント部材、７ａ  支持孔、８  防振マウント、９  高圧冷媒配管、１０  低圧冷媒配管、１１  温水冷媒熱交換器入口水配管、１２  温水冷媒熱交換器出口水配管（温水冷媒熱交換器の出口側の水配管）、１３  出口接続水配管、１４  貯湯タンク、１５  流水ポンプ、１６  低温水配管、１７  高温水配管。
【図１】
0005264564.tif 000002
【図２】
0005264564.tif 000003
【図３】
0005264564.tif 000004
【図４】
0005264564.tif 000005